【事件の表示】
　特許第２９６２３０１号「プリンタ装置」の請求項１に係る特許に対する特許異議の申立てについて、次のとおり決定する。
【結　論】
　訂正を認める。
　特許第２９６２３０１号の請求項１に係る特許を取り消す。
【理　由】
１．手続きの経緯
　特許第2962301号の請求項１に係る発明についての出願は、昭和63年6月29日に出願した特願昭63-161801号の一部を平成10年1月12日に新たな特許出願として出願した特願平10-4310号の一部を平成10年2月2日に新たな特許出願として出願したものであり、平成11年8月6日にその特許権の設定登録がなされ、その後、キヤノン株式会社より特許異議の申立てがなされ、取消理由通知がされ、その指定期間内である平成12年10月17日に異議意見書を提出するとともに、訂正請求（その後、平成13年5月7日付けで取り下げられた。）がなされ、その後、訂正請求書の訂正の要旨と全文訂正明細書の訂正個所との間に齟齬があるとの手続補正指令に対して、平成12年12月8日に手続補正がされ、更にその後、訂正拒絶理由通知を兼ねた取消理由通知がされ、その指定期間内である平成13年5月7日に特許異議意見書を提出するとともに、訂正請求がなされたものである。
　
２．訂正の適否についての判断および出願日の認定
（１）訂正事項の内容
［訂正事項ａ］
　特許請求の範囲の請求項１の
「印刷対象の映像が表示される映像表示装置と、インク量情報を出力するインク量出力手段と、上記インク量出力手段から出力された上記インク量情報に基づいて、上記印刷対象の映像が表示される上記映像表示装置の画面上にインクの残量を示す表示を行う表示手段と、上記印刷対象の映像を印刷する印刷手段とを備えたことを特徴とするプリンタ装置。」
とあるを、
「ａ）印刷対象の映像が表示される映像表示装置と、
ｂ）インクリボンの印刷可能な残り枚数を検出することによってインク量情報を検出する検出手段と、
ｃ）上記インクリボンの印刷可能な残り枚数を記憶するインクリボン残量記憶手段と、
ｄ）上記インクリボン残量記憶手段から読み出された上記インクリボンの印刷可能な残り枚数に基づいて、上記映像表示装置の画面上にインクリボンの残りを上記インクリボンの印刷可能な残り枚数で表示する手段と、
ｅ）上記印刷対象の映像を印刷する印刷手段とを備えたことを特徴とするプリンタ装置。」
に訂正する。
［訂正事項ｂ］
　明細書の段落番号［0005］を
「［課題を解決するための手段］印刷対象の映像が表示される映像表示装置と、インクリボンの印刷可能な残り枚数を検出することによってインク量情報を検出する検出手段と、インクリボンの印刷可能な残り枚数を記憶するインクリボン残量記憶手段と、このインクリボン残量記憶手段から読み出されたインクリボンの印刷可能な残り枚数に基づいて、映像表示装置の画面上にインクリボンの残りを上記印刷可能な残り枚数で表示する手段と、インクリボンの印刷対象の映像を印刷する印刷手段とを備えたことを特徴とするプリンタ装置である。」
に訂正する。
　　
（２）訂正の目的の適否、新規事項の有無及び拡張・変更の存否
　訂正事項ａは、「インク量情報」を「検出手段によって検出されたインクリボンの印刷可能な残り枚数」に、「インク量出力手段」を「インクリボンの印刷可能な残り枚数を記憶するインクリボン残量記憶手段」に限定するとともに、「インクの残量」を「インクリボン残量記憶手段から読み出されたインクリボンの印刷可能な残り枚数に基づくインクリボンの残り」に限定するものであり、特許請求の範囲の減縮を目的とするものである。
　［訂正事項ｂ］は、特許請求の範囲の訂正に伴って、明細書の発明の詳細な説明の記載をそれに整合させるための訂正であるから、明りょうでない記載の釈明を目的とするものである。
　そして、訂正事項ａおよびｂは、新規事項の追加には該当しないし、特許請求の範囲を実質的に拡張または変更するものでもない。
　
（３）むすび
　以上のとおりであるから、上記訂正は平成６年改正法附則第6条第1項の規定によりなお従前の例によるとされる、特許法第120条の4第3項において準用する平成６年改正法による改正前の特許法第126条第1項ただし書き、第2項及び第3項の規定に適合するので、当該訂正を認める。
　
（４）出願日の認定
　上記訂正により本件特許に係る出願は、特許法第44条第1項に規定する要件を満たすものとなり、適法な分割出願であるから、昭和63年6月29日に出願したものとみなす。
　
３．特許異議の申立てについての判断
（１）本件発明
　上記２．で示したように上記訂正が認められるから、本件の請求項１に係る発明（以下、「本件発明」という。）は、上記訂正に係る訂正明細書の特許請求の範囲の請求項１に記載された次のとおりのものである。
「ａ）印刷対象の映像が表示される映像表示装置と、
ｂ）インクリボンの印刷可能な残り枚数を検出することによってインク量情報を検出する検出手段と、
ｃ）上記インクリボンの印刷可能な残り枚数を記憶するインクリボン残量記憶手段と、
ｄ）上記インクリボン残量記憶手段から読み出された上記インクリボンの印刷可能な残り枚数に基づいて、上記映像表示装置の画面上にインクリボンの残りを上記インクリボンの印刷可能な残り枚数で表示する手段と、
ｅ）上記印刷対象の映像を印刷する印刷手段とを備えたことを特徴とするプリンタ装置。」
　
（２）引用刊行物に記載された発明
　当審が平成13年2月19日付けで通知した取消理由において引用した刊行物１乃至３には、それぞれ次のとおりの発明が記載されている。
（ａ）刊行物１：「シャープ書院ハンドブック」昭和５４年９月出版
ａ）第2頁にはシャープ日本語ワードプロセッサー「書院」（以下、「本装置」という。）の全体図が記載され、第1頁には、本装置が「操作部」、「表示部」、「印字部」、および「ファイル部」の４部門によって構成されていることが記載されているとともに、「表示部」に関連して、「キーボードより入力された内容、あるいはファイルから呼び出してきた内容がそのままテレビ画面に表示される。これにより入力文字の確認・訂正等を行う。」と記載されている。
ｂ）第113頁および第114頁には、「表示部」の画面上に、文字入力が可能な入力有効領域と、ガイダンス領域とプロテクト領域からなる無効領域と、が設定されていることが記載され、第113頁の下から第3行〜末行には、「エラー：エラーがあればガイダンス領域に表示される。」と記載されている。このガイダンス領域に表示されるエラー表示は、第２３０頁の一覧からもインク切れのエラーを含むことが分る。
ｃ）第125頁の「印字方式」の説明には、「インクジェット方式・・・画面上に表示される文字はすべて一字対応で印字させることができるようになっている。」と記載されている。
ｄ）第229頁には「操作中、以下に示すエラーメッセージが表示されたら、速やかに支持通りのエラー処理を行うこと。・・・尚、エラーメッセージは、エラー発生時にガイダンス領域に表示される。」とあり、第230頁にはそのエラー表示として、インクジェットプリンタ「インク切れ」が記載され、さらに、第236頁の第10行には「印字の途中インクが切れると、インク切れのエラーメッセージが出る」と記載されている。
ｅ）第236頁には「＜インクの取替え＞の項に、容器に収容されたインクが図示されている。
　以上の記載事項を対比のためにまとめると、刊行物１には次のような構成を有するワードプロセッサーの発明が記載されている。
ａ）印刷対象の文書が表示される表示部であるテレビ画面。
ｂ）印刷対象の文章を印刷する印字部。
ｃ）印刷には容器に保持された液体インクが使用される。
ｄ）印字の途中インクが切れると、印刷対象の文章の表示部にインク切れのエラーメッセージを表示する。
　
（ｂ）刊行物２：特開昭62-278876号公報
ａ）本発明は画像記録装置、とくに、静止画像を表す映像信号から画像記録媒体に可視画像を記録する画像記録装置に関する。（公報第2頁左上欄第17行〜同欄第19行参照）
ｂ）第１図に示す実施例では、例えばビデオフロッピー再生装置などの映像信号源から映像信号が３原色信号Ｒ、Ｇ、Ｂの形でアナログ・ディジタル（Ａ／Ｄ）変換回路10の入力12に供給される。（公報第3頁左上欄第8行〜同欄第11行参照）
ｃ）グレー補正部16の出力は、・・・スイッチ28で択一的に選択され記憶用の高輝度白黒ＣＲＴ30に入力される。記録用ＣＲＴ30の表示画面32の前方には、レンズ34および３色分解フィルタ38が配設され、画面32に表示された画像がカラー印画紙38に結像されるように配設されている。（公報第3頁右上欄第16行〜左下欄第3行参照）
ｄ）グレー補正部16の出力20はまた、・・・カラー映像モニタ装置54に入力される。（公報第3頁右下欄第10行〜同欄第13行参照）
ｅ）制御装置46には、操作者がたとえばルックアップテーブルＬＵＴ−１などの画像処理パラメータを選択または修正したり、画像の記録（プリント）指示などの必要な指示を与えるためのキーボードなどの入力操作装置62が接続されている。このパラメータ選択、修正は、例えば画像全体を濃く、または薄く、全体の赤味を増す、緑味を増す、または青みを増す、あるいは赤をより鮮やかに、などの指示を与える操作部材を操作することで行われる。（公報第4頁右上欄第1行〜同欄第10行参照）
ｆ）このように本発明によれば、映像モニタ装置の特性に応じて決定された画像処理パラメータと、画像記録媒体の特性に応じて決定された画像処理パラメータが用意され、モニタ表示用パラメータを使用して映像モニタ装置に画像を表示し、所定の関係でそれに対応した記録用パラメータを選択して画像記録媒体への記録を行なう。これによって、モニタ画像の画質に良好に一致したハードコピーが得られる。（公報第7頁左下欄第19行〜右下欄第7行参照）
　以上の記載事項を対比のためにまとめると、刊行物２には次のような発明が記載されている。
「プリント対象の映像が表示される映像モニタ装置と、カラー映像の色を調整するための色調整手段を備えた、プリント対象の映像をプリントするための画像記録装置。」
　
（ｃ）刊行物３：特開昭61-286184号公報
ａ）（１）転写リボンの転写剤を被転写体に転写して画像を形成するものにおいて、上記転写リボンに設けられたバーコードと、このバーコードを検知する検知器と、この検知器の検知結果にもとづいて上記転写リボンの残量を表示する表示手段とを具備したことを特徴とする画像形成装置。（公報第1頁特許請求の範囲の項）
ｂ）この熱転写リボン15の一側縁部には、第２図にも示すように、バーコード付与部15’が設けられ、このバーコード付与部15’には各インク部15ａ，15ｂ，15ｃ，15ｄにそれぞれ対応してバーコードＢＣが設けられている。このバーコードＢＣは、残りの熱転写リボン15で画像形成可能な用紙Ｐの枚数と、インク部15ａ，15ｂ，15ｃ，15ｄのいずれかを示すもので、インク部15ａ，15ｂ，15ｃ，15ｄ毎に順次加算あるいは減算した値となっている。（公報第5頁右上欄第7行〜同欄第17行参照）
ｃ）また、たとえば、「10111000」の場合、第4〜第6のビット領域が連続して「白」、第7〜第9のビット領域が連続して黒となるが、熱転写リボン15は、パルスモータからなるプラテン用モータ45により正確に送られるため、各ビット領域毎に前述したバーコードセンサ46によって検知することができる。（公報第5頁左下欄第14行〜右下欄第1行参照）
ｄ）また、上記バーコードセンサ65は、第４図に示すように、１個の発光素子65ａと１個の受光素子65ｂとから構成されており、この受光素子65ｂの出力信号Ｓａは、第５図に示すように、上記全体制御部14を介して画像形成部5及び表示部6に供給される。そして、表示部6では上記バーコードＢＣに応じて熱転写リボン15の残量が１０進法による数字で表示されるとともに、使用可能枚数を越えた使用枚数の設定に対して警告表示が行われるようになっている。以上の構成によれば、バーコードＢＣにより熱転写リボン15の残量を検出するので、正確な残量表示が行なえる。（公報第5頁右下欄第2行〜同欄第16行参照）
　
　以上の記載事項を対比のためにまとめると、刊行物３には次のような発明が記載されている。
「熱転写リボンに付されたバーコードを読み取って、残りの熱転写リボンで画像形成可能な用紙Ｐの枚数を検出するバーコードセンサーと、その出力信号を全体制御部を介して表示部に供給し、バーコードセンサーで読み取った画像形成可能な用紙Ｐの枚数に基づいて、表示部の画面上にインクリボンの残りを画像形成可能な用紙Ｐの枚数で表示する手段と、画像を印刷する印刷手段を備えた画像形成装置。」
　
（３）対比・判断
　本件発明を刊行物１記載の発明に記載された発明と対比すると、
ａ）本件発明の「印刷対象の映像が表示される映像表示装置」と刊行物１記載の発明の「印刷対象の文書が表示される表示部」とは、本件発明の「映像」と刊行物１記載の発明の「文書」が共にブラウン管等の表示装置の画面上に表示される画像である点で共通しているから、「印刷対象の画像が表示される画像表示装置」である点で共通し、
ｂ）刊行物１記載の発明の「インク切れ」と本件発明の「インクリボンの印刷可能な残り枚数」は、ともにインク量に関連する情報であるから「インク量関連情報」である点で共通するし、刊行物１記載の発明において、インク切れをエラーメッセージとして表示するためには、直接的な記載はないが、インク切れを検出し、その検出結果を表示部に出力し、その出力を表示する手段を有しているとみることができるから、刊行物１記載の発明の「印字の途中インクが切れると、印刷対象の文章の表示部にインク切れのエラーメッセージを表示する」と、本件発明の「インクリボンの印刷可能な残り枚数を検出することによってインク量情報を検出する検出手段と、インクリボンの印刷可能な残り枚数を記憶するインクリボン残量記憶手段と、インクリボン残量記憶手段から読み出されたインクリボンの印刷可能な残り枚数に基づいて、映像表示装置の画面上にインクリボンの印刷可能な残り枚数で表示する手段」とは、「インク量関連情報を検出する手段と、インク量関連情報を出力する手段と、インク量関連情報を画像表示装置の画面上に表示する手段」である点で共通し、
ｃ）刊行物１記載の発明の「印刷対象の文書を印刷する印字部」と本件発明の「印刷対象の映像を印刷する印刷手段」とは、「印刷対象の画像を印刷する印刷手段」である点で共通し、
ｄ）刊行物１記載の発明は全体としてワードプロセッサーの発明であるが、印字部を有することから、「プリンタ装置」であるということができ、
　以上のことから、両者間には次のような一致点、相違点がある。
（一致点）
　印刷対象の画像が表示される画像表示装置と、インク量関連情報を検出する手段と、インク量関連情報を出力する手段と、インク量関連情報を画像表示装置の画面上に表示する手段と、印刷対象の画像を印刷する印刷手段とを備えたプリンタ装置。
（相違点）
（１）画像表示装置が、本件発明では映像表示装置であるのに対して、刊行物１記載の発明では文書表示部である点。
（２）インク量関連情報を検出する手段と、インク量関連情報を出力する手段と、インク量関連情報を画像表示装置の画面上に表示する手段が、本件発明では「インクリボンの印刷可能な残り枚数を検出することによってインク量情報を検出する検出手段と、インクリボンの印刷可能な残り枚数を記憶するインクリボン残量記憶手段と、インクリボン残量記憶手段から読み出されたインクリボンの印刷可能な残り枚数に基づいて、映像表示装置の画面上にインクリボンの印刷可能な残り枚数で表示する手段」からなるのに対して、刊行物１記載の発明は「印字の途中インクが切れると、印刷対象の文章の表示部にインク切れのエラーメッセージを表示する」である点。
（３）印刷対象の画像を印刷する印刷手段が、本件発明では「印刷対象の映像を印刷する印刷手段」であるのに対して、刊行物１記載の発明では「印刷対象の文書を印刷する印字部」である点
（相違点の検討）
　相違点（１）および（３）については、刊行物２記載の発明において、「映像モニタ装置」、「画像記録装置」は、それぞれ本件発明の「映像表示装置」、「プリンタ装置」に相当するから、刊行物２には「印刷対象の映像が表示される映像表示装置と、映像を印刷する印刷手段を有するプリンタ装置」が記載されており、映像のプリンタ装置であっても文書のプリンタ装置であっても、印刷対象の画像を表示する装置の画面上に、インクに関する情報を表示させると便利であり、そのような課題を有する点で共通しているから、刊行物１記載の発明を映像を印刷するプリンタ装置に変更すると共に、文書表示部を映像表示装置に変更することは、当業者ならば容易に考えつくことができた構成の変更である。
　相違点（２）について検討する。
　刊行物３記載の発明において、「熱転写リボンに付されたバーコードを読み取って、残りの熱転写リボンで画像形成可能な用紙Ｐの枚数を検出するバーコードセンサー」、「画像形成装置」は、それぞれ本件発明の「インクリボンの印刷可能な残り枚数を検出することによってインク量情報を検出する検出手段」、「プリンタ装置」に相当するから、刊行物３には「インクリボンの印刷可能な残り枚数を検出し、その出力信号を全体制御部を介して表示部に供給する手段を有するプリンタ装置」が記載されている。
　また、刊行物３の記載事項のｃ）において「熱転写リボン15は、パルスモータからなるプラテン用モータ45により正確に送られるため、各ビット領域毎に前述したバーコードセンサ46によって検知する」とあり、バーコードの検出はもっぱら印刷の途中に行われるものであり、一方、ｄ）において、「そして、表示部6では上記バーコードＢＣに応じて熱転写リボン15の残量が１０進法による数字で表示されるとともに、使用可能枚数を越えた使用枚数の設定に対して警告表示が行われるようになっている」とあり、使用枚数の設定は次の印刷に先立って行われるのが普通である。
　そして印刷の途中で検知された残り枚数と次の印刷の開始に先立って設定された使用枚数とを比較するには、検知された残り枚数を一旦記憶させておく必要があることから、刊行物３にはバーコードセンサで検知された「残りの熱転写リボンで画像形成可能な用紙Ｐの枚数」を全体制御部において記憶手段に記憶されることが示唆されているということができるし、一般的に情報処理技術において、記憶装置に記憶された情報を適宜読み出して、その後の処理を行うことが周知であることからみて、検出結果を必要に応じて適宜記憶手段から読み出して表示部に供給することについても、当業者ならば刊行物３から容易に理解できる技術的事項である。
　そして、刊行物１記載の発明と刊行物３記載の発明は、ともにプリンタの技術分野に属するものであるし、両者を組み合わせることに格別の阻害要因もないから、刊行物１記載の発明においてインク切れを検出して画像表示装置に表示することに変えて、刊行物３記載の発明のようにインクリボンの残量を印刷可能な残り枚数として検出し、それを記憶手段に記憶し、記憶手段から印刷可能な残り枚数を読み出して画像表示装置に表示するように変更することは、当業者が容易に考えつくことができた構成の変更である。
　
４．むすび
　以上のことから、本件発明は刊行物１乃至３に記載された発明に基づいて、当業者が容易に発明をすることができたものであり、特許法第29条第2項の規定により特許を受けることができない。　
　したがって、本件発明についての特許は拒絶の査定をしなければならない特許出願に対してされたものと認める。
　よって、平成６年改正法附則第14条の規定に基づく、特許法等の一部を改正する法律の施行に伴う経過措置を定める政令（平成７年政令第205号）第４条第２項の規定により、結論のとおり決定する。
【異議決定日】
平成１３年５月２９日（２００１．５．２９）
【訂正の要旨】
訂正の要旨
［訂正事項ａ］
　特許請求の範囲の請求項１の
「印刷対象の映像が表示される映像表示装置と、インク量情報を出力するインク量出力手段と、上記インク量出力手段から出力された上記インク量情報に基づいて、上記印刷対象の映像が表示される上記映像表示装置の画面上にインクの残量を示す表示を行う表示手段と、上記印刷対象の映像を印刷する印刷手段とを備えたことを特徴とするプリンタ装置。」
とあるを、特許請求の範囲の減縮を目的として、
「ａ）印刷対象の映像が表示される映像表示装置と、
ｂ）インクリボンの印刷可能な残り枚数を検出することによってインク量情報を検出する検出手段と、
ｃ）上記インクリボンの印刷可能な残り枚数を記憶するインクリボン残量記憶手段と、
ｄ）上記インクリボン残量記憶手段から読み出された上記インクリボンの印刷可能な残り枚数に基づいて、上記映像表示装置の画面上にインクリボンの残りを上記インクリボンの印刷可能な残り枚数で表示する手段と、
ｅ）上記印刷対象の映像を印刷する印刷手段とを備えたことを特徴とするプリンタ装置。」
に訂正する。
［訂正事項ｂ］
　明細書の段落番号［０００５］を、明りょうでない記載の釈明を目的として、
「［課題を解決するための手段］印刷対象の映像が表示される映像表示装置と、インクリボンの印刷可能な残り枚数を検出することによってインク量情報を検出する検出手段と、インクリボンの印刷可能な残り枚数を記憶するインクリボン残量記憶手段と、このインクリボン残量記憶手段から読み出されたインクリボンの印刷可能な残り枚数に基づいて、映像表示装置の画面上にインクリボンの残りを上記印刷可能な残り枚数で表示する手段と、インクリボンの印刷対象の映像を印刷する印刷手段とを備えたことを特徴とするプリンタ装置である。」
に訂正する。
（５４）【発明の名称】
プリンタ装置
（５７）【特許請求の範囲】
　【請求項１】　
ａ）
ｂ）インクリボンの印刷可能な残り枚数を検出することによってインク量情報を検出する検出手段と、
ｃ）上記インクリボンの印刷可能な残り枚数を記憶するインクリボン残量記憶手段と、
ｄ）上記インクリボン残量記憶手段から読み出された上記インクリボンの印刷可能な残り枚数に基づいて、上記映像表示装置の画面上にインクリボンの残りを上記インクリボンの印刷可能な残り枚数で表示する手段と、
ｅ）
【発明の詳細な説明】
　【０００１】
　【発明の属する技術分野】
　本発明は映像信号や各種データをプリントするプリンタ装置に係わり、特にインクリボン等のインク量の残量を表示可能なプリンタ装置に関する。
　【０００２】
　【従来の技術】
　従来から、各種データや映像信号をプリントアウトするプリンタは種々のものが提案されている。例えばカラービデオプリンタではモニタテレビとカラービデオプリンタは互いに接続されてプリント内容はモニタテレビに映出されると共にプリンタの各種メッセージはプリンタに配設したＬＥＤ等を点灯させることで操作者にプリンタの動作状態等を知らせていた。例えば、プリンタ側でプリント指示釦を押圧すると、モニタテレビはプリンタ内のメモリに格納されているプリント画像信号をモニタ出来る構成と成されて、例えば、プリントアウトするときにはプリント釦を押圧すれば、メモリに格納されていたプリント画像信号がプリントアウトされるが、プリント中の表示はプリンタに配設したプリント中のＬＥＤが点灯する様に成されている。
　【０００３】
　【発明が解決しようとする課題】
　従来構成のプリンタによるとプリンタの動作状態或は操作状態を操作者側にきめ細かく知らせることが出来ないため、インクリボン等のインク残量が解らないため、インクがなくなった時に途中でプリントが終了してしまい完全にプリントされていないプリント紙の排出が行なわれて、無駄なプリントを行う弊害があった。又、故障原因等も解らずに修理に出す等の問題があった。
　【０００４】
　本発明は叙上の問題点に鑑み成されたもので発明が解決しようとする課題はプリンタ画像を表示する表示手段にインクリボン等のインク残量等のメッセージを表示させることで使用者が操作し易いプリンタ装置を提供しようとするものである。
　【０００５】
　【課題を解決するための手段】
　印刷対象の映像が表示される映像表示装置と、
インクリボンの印刷可能な残り枚数を検出することによってインク量情報を検出する検出手段と、インクリボンの印刷可能な残り枚数を記憶するインクリボン残量記憶手段と、このインクリボン残量記憶手段から読み出されたインクリボンの印刷可能な残り枚数に基づいて、映像表示装置の画面上にインクリボンの残りをインクリボンの印刷可能な残り枚数で表示する手段と
である
　【０００６】
　本発明のプリンタ装置では入力手段で指示した各種メッセージはプリンタ画像を表示する表示手段に表示されるので、インクリボン等のインク量の残量を使用者に知らせることが出来るので、使用者の使い勝手のよいプリンタ装置が得られる。
　【０００７】
　【発明の実施の形態】
　以下、本発明のビデオプリンタ装置を図面によって詳記する。
　【０００８】
　本例のプリンタ、例えばカラービデオプリンタ装置に於ける構成を図１及び図２に示す。図１で１はカラービデオプリンタであり、プリント操作はキー装置２で行なわれる。このキー装置２には大きく分けてメモリに関係する操作部２ａとプリントに関する操作部２ｂと、プリンタ画の画質・色調の調整部２ｃと、入力選択釦２ｄより成るが、これら詳細は動作説明と共に図２で後述する。
　【０００９】
　３はモニタテレビでカラービデオプリンタ１に接続され、再生している画像と、プリントする画像を見ることが出来、且つカラービデオプリンタ１からの各種メッセージを表示させることが出来る様に成されている。又、４はプリントしたい信号源を再生、撮像するビデオ機器でカラービデオプリンタ１に接続されている。
　【００１０】
　カラービデオプリンタ１に接続出来るビデオ機器としてはＮＴＳＣコンポジットビデオ信号を出力するＶＴＲ、ビデオカメラ、ビデオディスクプレーヤ、静止画伝送機器、Ｓ映像信号出力を持ったＶＴＲ、コンポーネント信号（色差信号）の出力を持ったＶＴＲ、静止画像記録用の所謂スチールカメラ、静止画伝送機並びにＲ（赤）、Ｇ（緑）、Ｂ（青）信号出力を持ったパーソナルコンピュータ、静止画伝送機器等がある。
　【００１１】
　５はビデオ機器に接続されたモニタテレビであり、ビデオ機器４の再生画像を常時モニタすることが出来る。
　【００１２】
　上述構成のカラービデオプリンタ１で画像をプリントする場合には、カラービデオプリンタ１のカバー１ａを開いてインクリボンカセットを挿入し、更に給紙トレー１ｂにプリント紙又はオーバーヘッドプロジェクタ（以後ＯＨＰと記す）用のシートを挿入して、モニタテレビ３及びカラービデオプリンタ１の電源スイッチ１ｃを“オン”状態とし、キー装置２の入力選択釦２ｄを押圧し、入力信号を選択すると入力の画像信号がモニタテレビ３に映出される。
　【００１３】
　しばらくすると入力信号の表示が消えるようになっている。次にプリントしたい画面がモニタテレビ３に現れたら、図２で示すメモリイン釦２ａ１を押圧すると、メモリに画像が記憶される。次にキー装置２中のプリント釦２ｂ１を押圧すれば、カラービデオプリンタ１からはプリント画がプリントアウトされる。
　【００１４】
　更に、クリヤ釦２ａ２を押圧すればメモリに格納されていたプリント画像情報がクリヤされる。尚、２ｂ２はプリントを途中で止めるプリント停止釦、２ｂ３はプリントのメモリ画像と入力中の画像とを切換える入力／メモリ切換釦を示している。
　【００１５】
　図３は本例の系統図であり、例えばカラービデオプリンタ１から成る印字装置はキー装置２とマイクロコンピュータ６及びＲＡＭ１２、ＲＯＭ１３等のメモリ並びにカラービデオプリンタの印字手段であるメカ部１０、ヘッド制御部１１、プリント画像用メモリ９（ＲＡＭ１２と兼用してもよい）を有するＣＲＴコントロール部７等で構成され、ビデオ機器４からの画像信号はマイクロコンピュータ６の入カインターフェース等の入力手段６ａに入力され、マイクロコンピュータ６に供給される。
　【００１６】
　マイクロコンピュータ６の表示出力はＣＲＴコントロール部７を通してモニタテレビ３に供給され、ＣＲＴ上に入力画像信号或はプリント画像用メモリ９に格納された画像信号を映出させる。
　【００１７】
　マイクロコンピュータ６とプリント画像用メモリ９、メカ部１０、ヘッド制御部１１、ＲＡＭ１２、ＲＯＭ１３、キー装置２並びにＣＲＴコントロール部７間は互いにデータバス或はコントロールバスを通じて接続されている。
　【００１８】
　本例では、マイクロコンピュータ６がＣＲＴコントロール部７を介して、各種メッセージ用の信号を出力し、モニタテレビ３の画面上に各種メッセージを表示する。この表示を使用者がみてキー装置２の適当な押釦を押圧すると、その押釦に応じたメッセージを再びＣＲＴコントロール部７に、出力し、ＣＲＴコントロール部７がモニタテレビ３に対応メッセージを表示させると共に押釦の命令をマイクロコンピュータは実行する様に各部に制御信号を出力する。
　【００１９】
　本例のプリンタではフルプリント画像を得る等の各種動作及びその表示をモニタテレビのＣＲＴ上に行なうことが出来るが、これら、動作のうちの代表的な動作表示を図４乃至図９の流れ図と表示例によって説明する。
　【００２０】
　図４はフレーム又はフィールド選択表示の流れ図である。一般にフル画面でプリントする場合に早く動いている映像を記憶させると画像がぶれてしまうことがあるので図２に示すフレーム／フィールド釦２ａ３を押圧すると、フレームモードからフィールドモードに変わって、モニタテレビ３の画面上に映出される画面のずれが止まる様になっている。
　【００２１】
　図３に示すプリント画像用メモリ９は最低１フレーム分の画像を記憶する容量を有し、フレーム／フィールド釦２ａ３の押圧でプリント画像メモリ９を１画面として利用する場合と、２枚に分けて使う場合に使い分ける様になされている。
　【００２２】
　今、図３のキー装置２のフレーム／フィールド釦２ａ３が操作されたときの動作を図４で説明すると、マイクロコンピュータ６は第１ステップＳ１でフレーム／フィールド釦２ａ３が“オン”されたか否かを判断し、ＮＯであれば第１ステップＳ１に戻るがフレーム／フィールド釦２ａ３が押圧されていれば次の第２ステップＳ２で現在はフレームモードか否かをマイクロコンピュータ６は判断する。
　【００２３】
　フレームモードでなければマイクロコンピュータ６はＣＲＴコントロール部７を介してモニタテレビ３のＣＲＴ画面の下端に第３ステップＳ３に示す様に第１フィールドモードと第２フィールドモード即ちメモリページを表す記号「１Ａ１Ｂ」の間を離れて表示する。
　【００２４】
　又、第２ステップＳ２がフレームモードであれば第４ステップＳ４に示す様に「１Ａ１Ｂ」は接近した状態で表示され、第３及び第４ステップＳ３，Ｓ４後は第１ステップＳ１に戻る動作が行なわれる。
　【００２５】
　図５Ａはプリント画像メモリ９に記憶されるフレームモード画像１４及び第１及び第２のフィールドモードの模式的画像１５，１６を、図５Ｂはフレームモード１４での「１Ａ１Ｂ」の表示１７を示し、この場合は１Ａと１Ｂ間が接近表示された例を示し、第１及び第２のフィールドモード１５，１６では「１Ａ　１Ｂ」の表示１８，１９は１Ａと１Ｂ間が離れて表示される。
　【００２６】
　尚、図５Ｂで第１のフィールドモード１５を選択するか、第２のフィールドモード１６を選択するかは図２のメモリページ釦２ａ４の押圧によって行なわれる。
　【００２７】
　又、図５Ｂでプリントされているメモリページは四角で囲われ、現在選択されていれば赤で表示し、印字中であれば点滅する様になされる。又Ｑ１はプリント枚数で例えば、必要なプリント枚数が５枚必要な場合は図２に示すプリント量釦２ｂ４のプラス釦を５回押せばモニタテレビ３の表示枚数はＱ１→Ｑ２→Ｑ３→Ｑ４→Ｑ５と変化するマイナス釦を押せば減算される。
　【００２８】
　尚、図５ＢのＭはプリント画像用メモリ９にメモリされている画像を示すものでビデオ機器からの入力画像のときはＩを表示する。
　【００２９】
　図６はインクリボンの残量を表示するための流れ図である。
　【００３０】
　図１でカバー１ａを開いて、インクリボンカセットを挿入し、１枚のプリントをとるとリボン残量表示が行なわれる。即ち、図２の残りリボン釦２ｂ５を押している間、モニタテレビ３にはリボンの種類と残り枚数が表示される。例えばリボンの種類がカラーで残り枚数が９９枚であれば「ＣＯＬＯＲ　ＲＩＢＢＯＮ　９９」
の如き表示がＣＲＴ画面の中央に出る。
　【００３１】
　この様なリボン残量を表示するフローを図６で説明する。図６で第１ステップＳＴ１では残りリボン釦２ｂ５が“オン”か否かをマイクロコンピュータ６は判断する。ＮＯであれば第１ステップＳＴ１を繰り返すが“オン”されていれば、第２ステップＳＴ２では現在どんなリボンが掛かっているかをみる。
　【００３２】
　リボンの種類は白黒リボン、カラーリボン、ＯＨＰリボンの３種類か、リボンが掛かっていない場合の４種類であり、マイクロコンピュータ６はこれら４通りを選別出来る様に成されている。リボンがカバー１ａ内に完全に挿入されていれば白黒、カラー、ＯＨＰリボンの夫々の場合に第３ステップＳＴ３で何枚残っているかをメモリから読み出し、白黒リボンの場合は第４ステップＳＴ４に示す様に、
　「Ｂ／Ｗ　ＲＩＢＢＯＮ　９９」
の様な表示を、同様にカラーリボンの場合は第５ステップＳＴ５に示す様に
　「ＣＯＬＯＲ　ＲＩＢＢＯＮ　９９」
の様な表示を、ＯＨＰリボンの場合は第６ステップＳＴ６に示す様に、
　「ＯＨＰ　ＲＩＢＢＯＮ　９９」
の様な表示が夫々モニタテレビ３のＣＲＴ画面になされる。
　【００３３】
　又、カセットがカバー１ａ内に挿入されていない場合は「ＮＯ　ＣＡＳＳＥＴＴＥ」を表示する（第７ステップＳＴ７）。これら所定の表示が行なわれた後に残りリボン釦２ｂ５が“オフ”になったか否かをマイクロコンピュータ６は第８ステップＳＴ８で判断し、ＮＯであれば第８ステップＳＴ８を繰り返し判断するが、ＹＥＳであればモニタテレビ３のＣＲＴ画面上の上述の各表示を第９ステップＳＴ９に示す様に消すことで第１ステップＳＴ１に戻される。
　【００３４】
　次に図７及び図８の流れ図について説明する。図２でプリント画の画質、色調を調整する調整部２ｃ内の例えば、グレースケール釦２ｃ１ではプリントされるべき画像とモニタテレビ３のＣＲＴ画面の色合わせを行なうことが出来る。
　【００３５】
　又、シャープネス釦２ｃ２を押圧すればプリント画の画質は低「Ｌ」、中「Ｍ」、高「Ｈ」に順次切り換えることが出来る。「Ｌ」の場合は画像の輪郭がぼけ、「Ｈ」では輪郭は強調され、「Ｍ」では中間の値を保つ様に成されている。
　【００３６】
　図７乃至図９に示す流れ図はサービスマンがプリンタを修理するモードで用いるもので、キー装置２に操作対応釦は設けられていないが、図７に示すプリント枚数を表示させる流れ図では第１ステップＳＴＥ１で上述のシャープネス釦２ｃ２とグレースケール釦２ｃ１とを同時に押圧した時に、プリント枚数を表示するメッセージをモニタテレビ３に表示させる様にする。
　【００３７】
　図７の第１ステップＳＴＥ１で２つの押釦が同時に“オン”が否かをマイクロコンピュータ６が判断し、ＮＯであれば第１ステップＳＴＥ１に戻るが、ＹＥＳであれば第２ステップＳＴＥ２では不揮発性のメモリに書かれている、プリント枚数を読み込む。
　【００３８】
　第３ステップＳＴＥ３ではＣＲＴコントロール部７を介してモニタテレビ３のＣＲＴ画面に読み込んだ内容を「６５５３６　ＰＲＩＮＴＳ」の様に今まで何枚プリントされたかを表示している。
　【００３９】
　図８はプリンタ内に用いられている各種センサのレベルを表示させ様とするもので、第１ステップＳＴＥＰ１では図７と同様に、所定の約束で定めた２つの押釦が同時に押圧されたか否かをマイクロコンピュータ６は判断する。
　【００４０】
　ＮＯであれば第１ステップＳＴＥＰ１に戻し、ＹＥＳであれば第２ステップＳＴＥＰ２で各種のセンサのレベルを読み込む。
　【００４１】
　次に第３ステップＳＴＥＰ３では読み込んだレベルをＣＲＴコントロール部７を介してモニタテレビ３に表示する。表示内容はセンサ名、センサの基本特性がＨかＬか、現在の極性がＨかＬか等であり、例えば、「ＥＤＧＥ〔Ｈ〕Ｌ」の様に表示する。この様にすると各種のセンサのレベルを何の測定器もなく、みることが出来る。
　【００４２】
　図９の実施例は各種エラーの表示を行なうもので各種エラー表示としては種々のものがあるが、リボンが無くなったことを知らせる「エンド　オブ　リボン」表示、インクリボンカセットがカバー１ａ内に正しく差し込まれていないことを知らせる「インサートリボン」表示、紙づまりであることを知らせる「フィードエラー」表示、給紙トレーが正しく差し込まれていないことを知らせる「インサートトレー」表示、選択されている入力からは現在信号が入っていないことを知らせる「ノーインプット」表示、プリント紙が途中に残っていることを知らせる「プリーズ　ウェイト」表示、紙づまりを知らせる「プロセスエラー」表示、リボンが切れ或はからまったことを知らせる「リボンエラー」表示、トレー中のプリント紙が表裏逆であることを知らせる「ターンペーパオーバ」表示、プリント紙がないことを知らせる「ノペーパ」表示等がある。
　【００４３】
　図９はこの様なエラー表示を示すフローであり、第１ステップＳＴＥＰ１ａでは各種エラーセンサでエラーが発生したか否かをマイクロコンピュータ６は判断する。ＮＯであれば第１ステップＳＴＥＰ１ａに戻るがＹＥＳであれば第２ステップＳＴＥＰ２ａでモニタテレビ３にＣＲＴコントロール部７を通じてエラーに応じた例えば、プリント紙がないときには「ＮＯ　ＰＡＰＥＲ」の表示が行なわれ、第３ステップＳＴＥＰ３ａでマイクロコンピュータ６は各種のエラーが解除されたか否かを判断し、ＮＯであれば第３ステップＳＴＥＰ３ａに戻るが、ＹＥＳであれば第１ステップＳＴＥＰ１ａに戻す。
　【００４４】
　この様に故障状態の表示が使用者に直ちに解るので、使用者は、エラー対応を迅速に行なうことが出来る。
　【００４５】
　尚、本発明のカラープリンタでは叙上に説明しない、例えば入力されている画像信号がＮＴＳＣコンポジットか、コンポーネント信号か或はＲＧＢ信号なのか等の表示や、画面の色調整表示等も行なわれている。
　【００４６】
　叙上の実施例の表示方法は、その１例を示したもので各種表示方法でモニタテレビ３のＣＲＴ画面に表示することが出来ることは勿論である。又、モニタテレビ３とカラービデオプリンタ１並びにキー装置２を別体に構成した例を説明したが、これらをプリンタ１内に一体化する等、上述の各実施例に限定されることなく、本発明の要旨を逸脱しない範囲で種々に変形することが出来る。
　【００４７】
　【発明の効果】
　本発明のプリンタ装置によればプリントすべき画像を表示するモニタテレビ上に使用者との間の各種メッセージを表示するので極めてスムーズにプリンタと操作者間で種々のコミュニケーションを計ることが出来る。特にインクリボン等のインク量の残量が表示されるので使い勝手のよいプリンタが得られ、然もＬＥＤ等の表示品を必要としないためにプリンタ構成を単純、廉価にすることが出来る効果を有する。
【図面の簡単な説明】
　【図１】
　本発明のプリンタ装置の構成配置図である。
　【図２】
　本発明のプリンタのキー装置の一形態例を示す配置図である。
　【図３】
　本発明のプリンタ装置の一形態例を示す系統図である。
　【図４】
　本発明のプリンタ装置のフレーム又はフィールド選択表示の流れ図である。
　【図５】
　本発明のプリンタ装置の画面表示例を示すＣＲＴ正面図である。
　【図６】
　本発明のプリンタのリボン残量を表示する流れ図である。
　【図７】
　本発明のプリンタのプリント枚数を表示する流れ図である。
　【図８】
　本発明のプリンタ装置のセンサレベルを表示する流れ図である。
　【図９】
　本発明のプリンタ装置の各種エラーを表示する流れ図である。
　【符号の説明】
１・…カラービデオプリンタ、２…・キー装置、３，５…・テレビモニタ、４…・ビデオ機器、９…・プリント画像用メモリ